(57)【特許請求の範囲】
【請求項１】
構造材に対して板材をねじ止め固定するための取付金具であり、構造材と板材の間に介在させる側面板の前縁に、構造材へねじ込むねじのねじ孔を有し前記ねじによって構造材の前面に重ねた状態で固定する構造材用前板と、板材へ固定するねじのねじ孔を有し前記ねじによって板材の前面に重ねた状態で固定する板材用前板を相反する側に向けて突出するように設け、前記側面板の後縁に、板材の背面に位置させる板材用後板を前記板材用前板と同じ側に突出するように設け、この板材用後板は、板材用前板と距離をおいて少なくともその一部が対面すると共に側面板の上下寸法に対して短くなるよう形成され、前記板材用後板の上下に位置する一方端縁をねじ係合縁とし、このねじ係合縁と前記板材用前板に設けたねじ孔の位置関係を、板材用前板のねじ孔から板材にねじ込んでこれを貫通した板材固定用ねじのねじ山が前記ねじ係合縁に係合するように設定した構造材に対する板材の取付金具。
【請求項２】
請求項２の発明は、上記板材用後板のねじ係合縁と前記板材用前板に設けたねじ孔の位置関係において、板材用前板に設けたねじ孔の軸心延長線上に対して、板材用後板のねじ係合縁を、ねじ孔の軸心延長線上に位置する状態から、最大ねじの軸部半径に見合う寸法だけ変位する範囲の間に設定した請求項１に記載の構造材に対する板材の取付金具。
【請求項３】
上記側面板に、板材の側面に対して打ち込むための爪を設けた請求項１又は２に記載の構造材に対する板材の取付金具。
【発明の詳細な説明】
【技術分野】
【０００１】
この発明は、建物の内壁面に各種部材を固定する場合に、部材取り付けのための補強用下地となる板材を、構造材である柱の間に固定配置するために用いる構造材に対する板材の取付金具に関する。
【背景技術】
【０００２】
例えば、内壁が石膏ボード等の内壁面構成材を用いて仕上げられる建物の壁において、前記内壁面に手摺り等の各種部材を取り付ける場合、壁面構成材だけでは十分な部材取付強度が確保できないため、壁面構成材の裏面側に補強用下地となる板材を重ねて配置しなければならず、このような板材は、壁を構成する柱に対して取付金具で固定する必要が生じる。
【０００３】
上記した補強用下地となる板材を柱に対して固定するために利用することが可能な従来の金具としては、例えば、特許文献１と２を挙げることができる。
【０００４】
先ず、特許文献１の金具は、建物の内壁に施す断熱材パネルの連結金具であり、隣接する断熱材パネルの枠材間に介在させる側面板の前縁に、一方枠材の前面に重なるように折り曲げた表面当接片と、他方枠材の前面に重ねることができるよう側面板に対して折り曲げ可能に設けた折り曲げ片と、前記側面板の後縁に、他方枠材の背面に重なるように折り曲げた背面当接片を設けた構造を有している。
【０００５】
上記連結金具で断熱材パネルを連結するには、両側に位置させた一方枠材の側面に側面板を重ねてビス止め固定することで連結金具を取り付け、この後、一方枠材柱間に嵌め込んだ他方断熱材パネルを背面当接片で支持し、次に、折り曲げ片を他方枠材の前面に重なるように折り曲げ、この折り曲げ片に設けたビス孔から他方枠材にビスをねじ込み、これにより、断熱材パネルを互いに連結することになる。
【０００６】
このような連結金具は、一方断熱材パネルを柱、他方断熱材パネルを板材とすれば、そのままで柱間への板材の固定に用いることができることになる。
【０００７】
次に、特許文献２の金具は、建物用板材を両側梁材間に取り付ける支持金具であり、梁材と板材の間に介在させる側面板の前縁に、梁材の前面に重ねる梁材用前板と、板材の前面に重ねる板材用前板を折り曲げて設け、前記側面板の後縁に、板材の背面に位置させる板材用後板を前記梁材用前板と同じ側に突出するように折り曲げた構造を有し、梁材用前板と後板で板材の側部を挟み込むことで板材の両側に支持金具を取り付け、この板材を梁材間に嵌め込んで梁用前板を梁材に重ねることで、梁材間に板材を取り付けるようになっており、このような支持金具を柱間への板材の取り付けには、特許文献２における両側梁材を柱とすることでそのまま使用できることになる。
【先行技術文献】
【特許文献】
【０００８】
【特許文献１】特開平８−１３６５６号公報
【特許文献２】意匠登録第５７７１５４号公報
【発明の概要】
【発明が解決しようとする課題】
【０００９】
ところで、特許文献１の連結金具は、施工現場において折り曲げ片を折り曲げなければならないという作業が必要になり、その折り曲げに余分な手間がかかると共に、柱に対する板材の固定に適用した場合、連結金具と板材の固定力は、折り曲げ片から板材にねじ込んだねじによる、折り曲げ片と板材の締結力だけに依存することになる。
【００１０】
即ち、折り曲げ片は側面板に対して折り曲げることにより背面当接片とで板材を前後から挟むことになるが、この折り曲げ片においては、折り曲げ条件や板材の厚みの誤差等によって、背面当接片とで板材を弾力的に挟持することができない場合があり、このような場合、ねじで折り曲げ片側に引き寄せられた板材と背面当接片の間に隙間が生じることになり、板材の固定は折り曲げ片と板材のねじによる締結部分だけとなる。
【００１１】
このように、板材の固定において、折り曲げ片と背面当接片による板材の挟持力を固定強度に生かすことができず、しかも、板材によるねじに対して作用する負荷は、ねじの折り曲げ片で支持された部分に集中してかかることになり、このため、ねじの板材固定部分は剪断力に対して強度が弱く、壁面に手摺り等を取り付ける場合の補強用下地である板材の固定強度を十分に確保することができないという問題が生じる。
【００１２】
また、特許文献２で示した支持金具は、梁材間に板材を単純に嵌め込むだけの取付構造であるので、水平状態での板材の取り付けには支障ないとしても、これを壁面のような垂直面での板材の取り付けに適用した場合、板材を安定よく垂直に支持することができないだけでなく、柱に対する固定が得られないので、手摺り等を取り付ける場合の補強用下地となる板材の固定として使用するには強度的に不向きである。
【００１３】
そこで、この発明の課題は、ねじのねじ込みにより板材を前面と背面から挟持して固定力に生かせることができると共に、板材を貫通させたねじを長さ方向の二カ所で支持することによって、板材固定部分の剪断力に対する強度を向上させることができる構造材に対する板材の取付金具を提供することにある。
【課題を解決するための手段】
【００１４】
上記のような課題を解決するため、請求項１の発明は、構造材に対して板材をねじ止め固定するための取付金具であり、構造材と板材の間に介在させる側面板の前縁に、構造材へねじ込むねじのねじ孔を有し前記ねじによって構造材の前面に重ねた状態で固定する構造材用前板と、板材へ固定するねじのねじ孔を有し前記ねじによって板材の前面に重ねた状態で固定する板材用前板を相反する側に向けて突出するように設け、前記側面板の後縁に、板材の背面に位置させる板材用後板を前記板材用前板と同じ側に突出するように設け、この板材用後板は、板材用前板と距離をおいて少なくともその一部が対面すると共に側面板の上下寸法に対して短くなるよう形成され、前記板材用後板の上下に位置する一方端縁をねじ係合縁とし、このねじ係合縁と前記板材用前板に設けたねじ孔の位置関係を、板材用前板のねじ孔から板材にねじ込んでこれを貫通した板材固定用ねじのねじ山が前記ねじ係合縁に係合するように設定したものである。
【００１５】
請求項２の発明は、上記板材用後板のねじ係合縁と前記板材用前板に設けたねじ孔の位置関係において、板材用前板に設けたねじ孔の軸心延長線上に対して、板材用後板のねじ係合縁を、ねじ孔の軸心延長線上に位置する状態から、最大ねじの軸部半径に見合う寸法だけ変位する範囲の間に設定したものである。
【００１６】
請求項３の発明は、請求項１又は２の発明において、上記側面板に、板材の側面に対して打ち込むための爪を設けたものである。
【００１７】
ここで、取付金具は、弾性のある一枚の金属板を用い、上下方向に長い側面板の前縁に対して、上半部と下半部の一方に構造材用前板と他方に板材用前板を相反する側に突出するよう直角に折り曲げ連成し、前記側面板の後縁で上半部と下半部に対して構造材用前板と同じ側に板材用後板を板材用前板と同じ側に突出するよう折り曲げ連成して形成され、前記構造材用前板と板材用前板は同一面になるよう折り曲げられ、これにより、構造材と板材の前面が同一面に仕上がるようにしている。
【００１８】
上記板材用後板は、側面板よりも上下の寸法が短くなっており、具体的には側面板の上半部と下半部に対して構造材用前板と同じ側に設けると共に、この構造材用前板よりも上下に少し長くすることで、長くなった分が板材用前板と対面する部分となるようにし、この対面する部分側の端縁が板材を貫通したねじのねじ係合縁になっている。
【００１９】
上記側面板に対して構造材用前板と板材用前板は直角に折れ曲がるのに対し、板材用後板は、側面板に対して自由側縁が少し前方に接近する傾斜状に折れ曲がり、前記自由側縁は後方へ屈曲させることにより、この板材用後板は金属板の弾性を利用したクリップ部となり、板材用前板と後板間を板材に対して嵌め込みやすくすると同時に、板材に対して弾力的に外嵌することにより、板材の厚みの誤差を吸収するようになっている。
【００２０】
また、側面板に設けた爪はこの側面板の一部を板材用前板と同じ側に突出させた切り起しによって形成され、側面板を板材の側面に重ねて固定することで、板材に対する取付金具を仮固定でき、構造材間への板材の固定作業が能率よく行えることになる。
【発明の効果】
【００２１】
この発明の取付金具によると、板材用後板の上下に位置するねじ係合縁と前記板材用前板に設けたねじ孔の位置関係を、板材用前板のねじ孔から板材にねじ込んでこれを貫通した板材固定用ねじのねじ山が前記ねじ係合縁に係合するようにしたので、ねじのねじ込みにより、板材用前板と板材を締結すると同時に、板材を貫通したねじが板材用後板のねじ係合縁に係合することで、板材用後板を前方へ強制的に引き寄せ、板材用前板と後板で板材を前後から締め付けて挟持することになり、板材に厚みの誤差があっても板材用後板と板材の間にすきまの発生はなく、板材用前板と後板による板材の挟持力を、構造材に対する板材の固定強度の向上に生かすことができる。
【００２２】
また、板材を貫通したねじのねじ山が板材用後板のねじ係合縁に係合することで、ねじは長さ方向の二カ所が板材用前板と後板に固定化され、前記ねじによる取付金具と板材の締結により、ねじの板材固定部分に作用する剪断力に対する支持強度が向上し、壁面に手摺り等を取り付ける場合の補強用下地となる板材の固定強度を十分に確保することができる。
【００２３】
また、取付金具は、板材の固定時に作業現場での折り曲げが一切不要となり、板材固定のための作業能率が優れていると共に、ねじによって板材を板材用前板に引きつけるため、構造材の前面と板材が同一面に仕上がり、内壁材の施工が支障なく行える。
【図面の簡単な説明】
【００２４】
【図１】（ａ）はこの発明に係る取付金具の正面図、（ｂ）は同平面図、（ｃ）は（ａ）の矢印ｃ−ｃに沿った拡大縦断面図
【図２】複数の取付金具を用いて柱間に板材を固定した状態を示す正面図
【図３】柱間に板材を固定する場合の取付金具と柱及び板材の関係を示す斜視図
【図４】板材にこれを貫通するようねじ込んだねじと取付金具の関係を示す、図２の矢印ｂ−ｂに沿った拡大縦断面図
【発明を実施するための形態】
【００２５】
以下、この発明の実施の形態を添付図面に基づいて説明する。
【００２６】
図１乃至図３のように、取付金具１は、内装材に石膏ボード等を用いて内壁面が仕上げられる建物の壁において、前記内壁面に手摺り等の各種部材を取り付ける場合に、内壁面の裏面側における柱Ａ（構造材）間に補強用下地となる合板等の板材Ｂを嵌め込んで固定配置するためのものである。
【００２７】
この取付金具１は、弾性のある一枚の金属板を用い、柱Ａの側面と板材Ｂの側面間に介在させる側面板２の前縁に、構造材用前板３と板材用前板４を設け、前記側面板２の後縁に、板材Ｂの背面に位置させる板材用後板５を設けて形成されている。
【００２８】
上記取付金具１における側面板２は、固定せんとする板材の厚みに対応した幅で上下に長い矩形状となり、その前縁の上半部と下半部における一方に構造材用前板３と、他方に板材用前板４を相反する側に突出するよう直角に折り曲げ連成し、前記側面板２の後縁で上半部と下半部における構造材用前板３と同じ側に、前記板材用前板４と同じ側に突出するよう板材用後板５が折り曲げ連成されている。
【００２９】
上記板材用後板５の上下寸法は、側面板２よりも短く、かつ、上記構造材用前板３よりも長くすることで、この長くなった部分が側面板２の幅を介して板材用前板４と対面する部分５ａとなり、この対面する部分５ａの端縁が板材Ｂを貫通したねじＤのねじ係合縁５ｂになっている。
【００３０】
また、この板材用後板５は、自由側端部が少し前方に接近するように側面板２から傾斜状に折れ曲がり、前記自由側端部は後方へ屈曲させることにより、金属板の弾性を利用したクリップ部となり、板材用前板４と後板５間を板材Ｂの側縁に対して嵌め込みやすくすると同時に、板材Ｂを弾力的に挟持することにより、板材Ｂの厚みの誤差を吸収するようになっている。
【００３１】
上記構造材用前板３の中央位置に柱Ａへねじ込み固定するねじＣのねじ孔６が、また、板材用前板４の中央位置には板材Ｂへねじ込み固定するねじＤのねじ孔７がそれぞれ設けられ、板材Ｂへねじ込み固定するねじＤは、図４のように、一端に先鋭端Ｄ１と他端に頭部Ｄ２を有する軸部Ｄ３の外周にねじ山Ｄ４を設け、前記軸部Ｄ３が板材Ｂの厚みよりも長いものを用い、板材用前板４と板材Ｂを締結したとき、軸部Ｄ３が板材Ｂを貫通するようにしている。
【００３２】
上記板材用前板４に設けるねじ孔７は、ねじＤのねじ山Ｄ４が通過できる単純な円形孔だけでなく、図３のように、直線の切り溝を複数本交差させたような構造を採用してもよく、このような構造のネジ孔７は、ねじを切り溝が交差する中心部にねじＤをねじ込むことで、ねじＤのねじ山Ｄ４が板材用前板４に対して係合することで締結力の向上が図れ、ねじ孔７に対してねじＤを同軸心の状態で板材Ｂにねじ込むことができる。なお、構造材用前板３のねじ孔６も同様の構造とすることができる。
【００３３】
図１（ｃ）に示すように、上記板材用後板５のねじ係合縁５ｂと前記板材用前板４に設けたねじ孔７の位置関係において、板材用前板４に設けたねじ孔７の軸心延長線ｘに対して、板材用後板５のねじ係合縁５ｂの位置は、ねじ孔７の軸心延長線ｘ上とこの軸心延長線ｘからねじＤの軸部Ｄ３の半径に見合う寸法だけ離れた位置の間の何れかにあるように設定されている。なお、図１（ｃ）はねじ孔７の軸心延長線ｘに対して板材用後板５のねじ係合縁５ｂを、ねじＤの軸部Ｄ３の半径に見合う寸法だけ離れた位置に設定した状態を示している。
【００３４】
上記側面板２には、板材用前板４と板材用後板５を板材Ｂに嵌め込んだ状態で、板材Ｂの側面に対して打ち込むための爪８と、側面板２の幅方向に沿って長い補強用のリブ９が設けてあり、前記爪８は、側面板２の一部を板材用前板４と同じ側に突出させた切り起こしによって形成され、板材Ｂに対して取付金具１を仮止め固定できることになる。
【００３５】
また、上記取付金具１の構造材用前板３と板材用前板４は同一面になるよう折り曲げられ、これにより、柱Ａの前面と板材Ｂの前面が同一面に仕上がるようにしている。
【００３６】
この発明の取付金具１は、上記のような構成であり、次に、この取付金具１を用いた板材の取付方法を説明する。
【００３７】
図２のように、板材Ｂは隣接する柱Ａの間に丁度納まる幅に形成され、この板材Ｂの両側で上下の複数箇所に、取付金具１を仮止め固定する。なお、取付金具１は板材Ｂの両側において上下を逆にして使用し、板材Ｂの両側縁からそれぞれ構造材用前板３が突出する姿勢とする。
【００３８】
板材Ｂに対して取付金具１の仮止め固定を行うには、取付金具１を構造材用前板３と板材用前板４が前面側で上下に位置するように保持した状態で、板材用前板４と板材用後板５間を板材Ｂに対して側縁から内側へ外嵌圧入し、爪８を板材Ｂの側面にに差し込むようにすることで、側面板２を板材Ｂの側面に重ねるようにすればよく、板材用前板４と板材用後板５による板材Ｂの前後からの弾力的な挟持及び、爪８の板材Ｂへの打ち込みによって、取付金具１を安定よく仮止め固定することができる。
【００３９】
このようにして、板材Ｂの大きさに合わせてこの板材Ｂの両側で必要な複数箇所に取付金具１を仮止めし、この板材Ｂを柱の間に嵌め込み、各取付金具１の構造材用前板３を柱Ａの前面に重ねる。
【００４０】
この状態で、構造材用前板３のねじ孔６から柱ＡにねじＣをねじ込み、構造材用前板３を柱材に固定した後、板材用前板４のねじ孔７から板材ＢにねじＤをねじ込み、板材用前板４と板材Ｂを締結することにより、図２のように、隣接する柱Ａ間に板材Ｂを固定配置する。
【００４１】
上記構造材用前板３は、ねじＣの締め付けにより柱Ａの前面に重なるように締結固定され、また、板材ＢはねじＤの締め付けにより前方に引かれ、その前面が板材用前板４に重なるように固定されることにより、柱Ａと板材Ｂの前面は同一面に仕上がることになる。
【００４２】
また、板材Ｂにねじ込むねじＤは、板材Ｂの板厚よりも長いものを用い、板材Ｂに対して全長を完全にねじ込むと、その軸部Ｄ３は板材Ｂの厚みを前後に貫通することになる。
【００４３】
ここで、板材用前板４に設けたねじ孔７に軸心を合わせた状態でねじＤを板材Ｂに直角の姿勢でねじ込むと、板材用後板５のねじ係合縁５ｂと前記板材用前板４に設けたねじ孔７の位置関係が、板材用前板４に設けたねじ孔７の軸心延長線ｘに対して、板材用後板５のねじ係合縁５ｂの位置は、ねじ孔７の軸心延長線ｘ上と、この軸心延長線ｘからねじＤの軸部Ｄ3の半径に見合う寸法だけ離れた位置の間の何れかにあるように設定されているので、ねじＤにおける軸部Ｄ３の先鋭端Ｄ１は、板材用後板５に衝突してねじ込みによる前進が阻止されることはなく、板材用後板５の部分を通過し、図４のように、板材Ｂの厚みを貫通したねじＤは、その軸部Ｄ３のねじ山Ｄ４が板材用後板５のねじ係合縁５ｂに食い込んでねじを切るように係合することになり、これによって板材用後板５が前方に引かれ、板材用前板４と板材用後板５で板材Ｂを前後から挟持する。
【００４４】
このように、ねじでクリップ部となる板材用後板５を前方に引き寄せて板材Ｂを挟持することにより、板材Ｂに厚みの誤差があってもこれを吸収することができ、この板材挟持力が板材固定強度の向上に寄与することになる。
【００４５】
また、板材Ｂを貫通したねじＤの軸部Ｄ３は、頭部Ｄ２が板材用前板４と固定化され、先端側の途中が板材用後板５と係合することにより、長さ方向の二カ所が取付金具１で支持されることになり、これにより、ねじＤによる板材Ｂの固定部分は上下方向の負荷による剪断力に対して強度が大幅に向上し、手摺り等を取り付ける場合の補強用下地となる板材Ｂの固定強度を十分に確保することができる。
【００４６】
このようにして柱Ａの間に板材Ｂを取り付けた後、柱Ａと板材Ｂの前面に石膏ボード等の内壁面構成材を張設して内壁面を仕上げればよく、この場合、柱Ａや板材Ｂと内壁面構成材は接着剤で固定化して強度を向上させるようにすることができ、柱Ａの間に対する板材Ｂの固定強度が十分に確保できるので、板材Ｂを補強用下地として内壁面に手摺り等の各種部材を強固に取り付けることができる。
【符号の説明】
【００４７】
１      取付金具
２      側面板
３      構造材用前板
４      板材用前板
５      板材用後板
５ａ    対面する部分
５ｂ    ねじ係合縁
６      ねじ孔
７      ねじ孔
８      爪
９      補強用のリブ
Ａ      柱
Ｂ      板材
Ｃ      ねじ
Ｄ      ねじ
Ｄ１    先鋭端
Ｄ２    頭部
Ｄ３    軸部
Ｄ４    ねじ山
【図１】
0006271347.tif 000002
【図２】
0006271347.tif 000003
【図３】
0006271347.tif 000004
【図４】
0006271347.tif 000005